(57)【特許請求の範囲】
【請求項１】
電池ホルダーの円筒状の電池収容部の内壁面に沿って突設された扇状のフランジ部上に載置され、前記電池収容部に位置決め収容されるボタン電池と前記ボタン電池を電源とする機器の前記電池ホルダーが挿入される電源接続凹部内に臨ませた電源端子間を絶縁するボタン電池用絶縁シートであって、
前記フランジ部の内径より太幅の両側辺部が前記フランジ部上に載置されることによって前記電池ホルダーの電池収容部内に配置され、前記フランジ部の内側に露出する前記ボタン電池の底面側の電極と、該電極に対向して前記電源接続凹部の内底面から突出する前記電源端子間を絶縁する絶縁片部と、
前記フランジ部の内径より細幅で、前記電池ホルダーの底面と前記電源接続凹部の内底面の間から外方に引き出される引き出し片部と、
絶縁片部と引き出し片部を一体に連結する連結片部とを備え、
前記連結片部の両側辺は、引き出し方向に向かって内側に傾斜する傾斜線となり、前記フランジ部の内壁面に当接することを特徴とするボタン電池用絶縁シート。
【請求項２】
前記絶縁片部から前記連結片部までの引き出し方向に沿った長さは、前記絶縁片部の前縁が前記電池収容部の内壁面に当接する状態で前記連結片部の両側辺が前記フランジ部の内壁面に当接する長さであることを特徴とする請求項１に記載のボタン電池用絶縁シート。
【請求項３】
前記引き出し片部に、前記絶縁片部が前記電池収容部内に配置される配置位置で前記電池ホルダーから外方に引き出される部位を表す所定の識別マークが表示されることを特徴とする請求項１又は請求項２のいずれか１項に記載のボタン電池用絶縁シート。
【発明の詳細な説明】
【技術分野】
【０００１】
本発明は、ボタン電池を電源とする機器の使用前に、ボタン電池を機器側の電源端子と絶縁しておくボタン電池用絶縁シートに関し、更に詳しくは、電池ホルダーに位置決め収容されたボタン電池の電極と、電池ホルダーを挿入する電源接続凹部に臨む電源端子とを絶縁するボタン電池用絶縁シートに関する。
【背景技術】
【０００２】
ボタン電池を電源として動作するリモートコントロール送信機、電子手帳などの電子機器は、ボタン電池が小型であり、正極と負極の露出位置がわかりづらいので、従来、機器の出荷時に、正極電源端子と負極電源端子が臨む機器側の電源接続凹部に正常な接続姿勢で配置するボタン電池と前記電源端子との間に絶縁シートを配置し、機器を使用するまで、ボタン電池の電極が電源端子に接続することによるボタン電池の消耗を防いでいる。機器を購入して始めて使用するユーザーは、電源接続凹部から外方に引き出された絶縁シートの引き出し部を引き抜き、ボタン電池の電極と電源端子の間から絶縁シートを除いて両者を接続させることにより、ボタン電池を電源として機器を起動させている（例えば、特許文献１）。
【０００３】
この特許文献１に記載の絶縁シートは、帯状の絶縁シートの先端側の絶縁片部を電源接続凹部内のボタン電池と電源端子間に配置するが、電源接続凹部内で絶縁片部が両者を絶縁する位置に配置されているかどうかは、ボタン電池に隠れ目視確認できない。そこで、機器の電源スイッチを入れた動作状態で絶縁シートにより絶縁されているかどうかを確認する必要があり、機器の出荷時に余分な検査工程が加わる。
【０００４】
一方、小型のボタン電池を直接機器側の電源接続凹部内に装着することが困難であることから、電池収容部へボタン電池を位置決め収容した電池ホルダーを機器側の電源接続凹部へ挿入し、電源接続凹部内に臨む電源端子へ電池収容部から露出するボタン電池の電極を接続させるボタン電池の接続構造が特許文献２等で知られている。このような接続構造では、電池ホルダーの底面に沿って配置した絶縁シートを電池ホルダーとともに電源接続凹部へ挿入し、電源接続凹部内に露出する電源端子と電池ホルダーの電池収容部から臨むボタン電池の電極との間に絶縁シートを配置し、両者を絶縁している。しかしながら、電池ホルダーととともに電源接続凹部へ挿入する絶縁シートは、電源接続凹部の内底面との摩擦で引き出し方向に残り、ボタン電池と電源端子の間まで挿入されない恐れがある。そこで、特許文献２に示すような接続構造では、ボタン電池の平面側まで絶縁シートを折り返して電池ホルダーととともに電源接続凹部へ挿入し、ボタン電池と電源端子間に絶縁シートが配置されるようにしている。
【０００５】
以下、この従来の絶縁シート１００により、ボタン電池１０の負極１０ａと機器側の負極電源端子２２ａ間を絶縁する構造を、図８と図９を用いて詳述する。ボタン電池１０は、外形が円盤状で、その平面と側面の全体に正極１０ｂが露出し、正極１０ｂと絶縁間隔を隔てた底面の全体に負極１０ａが露出している。電池ホルダー１１には、このボタン電池１０を位置決め収容する電池収容部１２が形成され、円筒状の電池収容部１２の内側面に沿って扇状に突設されたフランジ部１３上に、ボタン電池１０の底面側の周縁が載置され位置決め収容される。
【０００６】
帯状に形成される絶縁シート１００は、電池ホルダー１１の底面側から電池ホルダ１１に位置決め収容されるボタン電池１０の平面側まで折り返した図８に示す状態で、電池ホルダー１１とともに機器の電源接続凹部２１へ挿入する。電池ホルダー１１を電源接続凹部２１への挿入の際に、絶縁シート１００は、電源接続凹部２１の内底面に沿って摺動することにより、引き出し方向（図９の右方）に働く摩擦力を受けるが、ボタン電池１０の平面側に折り返された先端側が電源接続凹部２１の内頂面に沿って摺動することにより逆方向の摩擦力を受けて相殺され、電池ホルダー１１とともに所定の位置まで挿入させることができる。
【０００７】
その結果、図９に示すように、ボタン電池１０の底面側の負極１０ａと電源接続凹部２１の内底面に露出する負極電源端子２２ａ間に絶縁シート１００が配置され、両者が確実に絶縁される。また、絶縁シート１００は電池ホルダー１１の平面から底面に沿って折り返された状態で電源接続凹部２１内に配置されるので、電源接続凹部２１から外方に引き出される引き出し片部１００ａに意図しない引き出し方向の力が加わっても、簡単に電源接続凹部２１から引き出されることがなく、ボタン電池１０との絶縁を確実に維持する。
【先行技術文献】
【特許文献】
【０００８】
【特許文献１】特許第３５１９９８８号公報
【特許文献２】特開平６−２６７５２１号公報
【発明の概要】
【発明が解決しようとする課題】
【０００９】
特許文献１に記載の従来の絶縁シートは、不用意に電源接続凹部から抜け出やすく、また、電源接続凹部内でボタン電池の電極と電源端子間に配置されているかどうかが不明であるため、機器の起動操作を行って絶縁状態を確かめる必要がある。
【００１０】
また、上述の従来の絶縁シート１００は、絶縁シート１００を挿入方向の先端側で折り返した状態に保ったまま電池ホルダー１１と共に電源接続凹部２１へ挿入する必要があるので、予め電池ホルダー１１にセットしておくことができず、挿入作業も煩わしい。
【００１１】
更に、折り返す長さを調整できないので、電源接続凹部内に挿入される長さが一定ではなく、同様に電源接続凹部内でボタン電池と電源端子との間を絶縁しているかどうかがわからないので、機器の電源スイッチを入れて動作するかどうかを確認する必要がある。
【００１２】
更に、絶縁シート１００をボタン電池１０の先端側で折り返すので、電源接続凹部２１の内奥面にボタン電池１０の正極１０ｂに接続する為の正極側電源端子２２ｂが臨んでいる場合には、機器を使用するまでの長期間にわたって、絶縁シート１００が介在することにより正極側電源端子２２ｂ余分に撓み、疲労により正極１０ｂへの接触圧が低下する恐れがある。
【００１３】
本発明は、このような従来の問題点を考慮してなされたものであり、簡単に絶縁シートが引き出されず、確実にボタン電池と機器側の電源端子間を絶縁するボタン電池用絶縁シートを提供することを目的とする。
【００１４】
また、ボタン電池を位置決め収容した電池ホルダーととともに、絶縁シートを片手で機器の電源接続凹部へ挿入できるボタン電池用絶縁シートを提供することを目的とする。
【課題を解決するための手段】
【００１５】
上述の目的を達成するため、請求項１のボタン電池用絶縁シートは、電池ホルダーの円筒状の電池収容部の内壁面に沿って突設された扇状のフランジ部上に載置され、電池収容部に位置決め収容されるボタン電池とボタン電池を電源とする機器の電池ホルダーが挿入される電源接続凹部内に臨ませた電源端子間を絶縁するボタン電池用絶縁シートであって、フランジ部の内径より太幅の両側辺部がフランジ部上に載置されることによって電池ホルダーの電池収容部内に配置され、フランジ部の内側に露出するボタン電池の底面側の電極と、該電極に対向して電源接続凹部の内底面から突出する電源端子間を絶縁する絶縁片部と、フランジ部の内径より細幅で、電池ホルダーの底面と電源接続凹部の内底面の間から外方に引き出される引き出し片部と、絶縁片部と引き出し片部を一体に連結する連結片部とを備え、連結片部の両側辺は、引き出し方向に向かって内側に傾斜する傾斜線となり、フランジ部の内壁面に当接することを特徴とする。
【００１６】
絶縁片部は、両側辺部がフランジ部上に載置されるので、円筒状の電池収容部の内壁面によって、ボタン電池の底面側の電極と電源接続凹部の内底面から突出する電源端子間に介在する位置で位置決めされ、両者を確実に絶縁する。
【００１７】
また、絶縁片部の両側辺部がボタン電池とフランジ部の間に挟まれ、絶縁シートが電池ホルダーに仮保持されるので、電池ホルダーを電源接続凹部へ挿入する操作で同時に絶縁シートも電源接続凹部内に配置される。
【００１８】
また、絶縁片部は、両側辺部がボタン電池とフランジ部の間に挟まれるととに、連結片部がフランジ部の内壁面に当接するので、所定の引き出し操作力を要し、不用意に電源接続凹部から引き出されない。
【００１９】
引き出し片部を所定の引き出し操作力で引き出すと、連結片部の両側辺がフランジ部の内壁面に摺接して、一体に連結する絶縁片部を捩りながら電池ホルダーの底面側に案内し、電池ホルダーの底面と電源接続凹部の内底面との間から外方に引き出される。
【００２０】
請求項２のボタン電池用絶縁シートは、絶縁片部から連結片部までの引き出し方向に沿った長さが、絶縁片部の前縁が電池収容部の内壁面に当接する状態で連結片部の両側辺がフランジ部の内壁面に当接する長さであることを特徴とする。
【００２１】
絶縁片部の先端を電池収容部の内壁面に当接させて電池収容部内に配置すると、電池ホルダーを機器の電源接続凹部へ挿入した際に、絶縁片部がボタン電池の底面側の電極と電源端子間に確実に配置される。
【００２２】
請求項３のボタン電池用絶縁シートは、引き出し片部に、絶縁片部が電池収容部内に配置される配置位置で電池ホルダーから外方に引き出される部位を表す所定の識別マークが表示されることを特徴とする。
【００２３】
絶縁片部が電池収容部に配置される通常の配置位置から電池用絶縁シートが引き出し方向に引き出されると、引き出し片部に識別マークが表示されない部位が表れる。
【発明の効果】
【００２４】
請求項１の発明によれば、絶縁シートをボタン電池の平面側に折り返さずに、電源接続凹部へ挿入する前の電池ホルダーに対して位置決めされるので、容易にボタン電池と機器側の電源端子間に配置し、両者を絶縁することができる。
【００２５】
また、電源接続凹部内に配置されている間は、引き出し片部に一定の引き出し方向の操作力を加えないと引き出されないので、不用意に絶縁シートが抜け出ることがない。
【００２６】
絶縁シートをボタン電池の平面側に折り返さず、ボタン電池の挿入方向側や平面側から突出する正極側電源端子との間に介在しないので、機器の使用前に絶縁シートにより正極側電源端子が撓むことなく、疲労しにくい。
【００２７】
請求項２の発明によれば、電源接続凹部内に配置される絶縁シートの長さを考慮せずに、絶縁片部の先端を電池収容部の内壁面に当接させるだけで、絶縁片部が確実にボタン電池の底面側の電極と電源端子間に配置される。
【００２８】
請求項３の発明によれば、絶縁片部を充分に電池収容部に配置しないまま電池ホルダーを電源接続凹部へ挿入したり、通常の配置位置から引き出し片が意図せず引き出されたことを、電池ホルダーとの間に識別マークが表示されない部位が表れることから確認することができる。
【図面の簡単な説明】
【００２９】
【図１】本発明の第１実施の形態に係るボタン電池用絶縁シート１を電池ホルダー１１へ配置した状態を示す斜視図である。
【図２】ボタン電池用絶縁シート１の平面図である。
【図３】ボタン電池用絶縁シート１を配置した電池ホルダー１１の平面図である。
【図４】電池ホルダー１１へボタン電池用絶縁シート１を配置する状態を示す縦断面図である。
【図５】電池ホルダー１１にボタン電池用絶縁シート１とボタン電池１０を収容した状態を示す斜視図である。
【図６】図５に示す電池ホルダー１１を機器側の電源接続凹部２１へ挿入した状態を示す、（ａ）は、斜視図、（ｂ）は、縦断面図である。
【図７】電源接続凹部２１からボタン電池用絶縁シート１を引き出した状態を示す斜視図である。
【図８】従来のボタン電池用絶縁シート１００を電池ホルダー１１へ配置した状態を示す平面図である。
【図９】ボタン電池用絶縁シート１００を、ボタン電池１０と電源端子２２ａ、２２ｂ間に配置した状態を示す縦断面図である。
【発明を実施するための形態】
【００３０】
本発明の一実施の形態に係るボタン電池用絶縁シート１（以下、絶縁シート１という）は、ボタン電池１０を位置決め収容する電池ホルダー１１を機器側の電源接続凹部２１へ挿入する図８、図９に示す接続構造に適用するもので、始めにこの接続構造の各構成について同一の番号を付した図１、図３乃至図６を用いて説明する。尚、以下の説明では、電池ホルダー１１を電源接続凹部２１へ挿入する挿入方向を前方、引き出す方向を後方として説明する。
【００３１】
図１に示すように、電池ホルダー１１は、直方体状の取っ手１１ａと取っ手１１ａから前方に突設された一対のアーム部１１ｂ、１１ｂが絶縁合成樹脂により一体に形成されている。取っ手１１ａは、機器の筐体２０の側面に開口する電源接続凹部２１の開口縁２１ｂより大きく、一対のアーム部１１ｂ、１１ｂを電源接続凹部２１へ挿入した際に電源接続凹部２１の周縁に当接し、電源接続凹部２１へ挿入後の電池ホルダー１１を引き出し可能としている。
【００３２】
一対のアーム部１１ｂ、１１ｂの対向面には、それぞれボタン電池１０の外側面が遊嵌する円筒面の一部を構成する凹曲面の内壁面１２ａ、１２ａが形成され、内壁面１２ａ、１２ａで囲われる内側を、ボタン電池１０を位置決め収容する電池収容部１２としている。また、各内壁面１２ａ、１２ａの下端部に沿った円周上に、ボタン電池１０の底面の周囲を載置する扇状のフランジ部１３が円周の中心に向かって突設されている。フランジ部１３の平面からの内壁面１２ａ、１２ａの高さは、ボタン電池１０の高さにほぼ等しく、、従って、扇状のフランジ部１３に載置されたボタン電池１０の平面とアーム部１１ｂ、１１ｂの平面とがほぼ同一平面上に連続する状態で、ボタン電池１０が電池収容部１２に位置決め収容される。
【００３３】
既述したように、ボタン電池１０は、円盤状の平面と側面に正極１０ｂが露出し、正極１０ｂと絶縁間隔を隔てた底面の全体に負極１０ａが露出しているので、電池ホルダー１１の電池収容部１２に収容されたボタン電池１０は、一対のアーム部１１ｂ、１１ｂ間の下方に底面の負極１０ａが露出し、一対のアーム部１１ｂ、１１ｂ間の平面側と前方に正極１０ｂが露出する。
【００３４】
一対のアーム部１１ｂ、１１ｂの外側面には、それぞれ電源接続凹部２１の内側面から突出する係合リブ２１ａ、２１ａに係合する係合凹部１４、１４が凹設され、係合リブ２１ａ、２１ａに係合することにより、電源接続凹部２１内に挿入された電池ホルダー１１を挿入状態で位置決めしている。
【００３５】
機器の筐体２０の側面に開口する電源接続凹部２１は、電池ホルダー１１の一対のアーム部１１ｂ、１１ｂを遊嵌する大きさに形成され、その内底面と前方の内奥面の筐体２０に、それぞれ板バネ片からなる負極電源端子２２ａと正極電源端子２２ｂの基端が一体に固定されている。負極電源端子２２ａの自由端側は、電源接続凹部２１に挿入される電池ホルダー１１の一対のアーム部１１ｂ、１１ｂ間の下方に露出するボタン電池１０の負極１０ａに弾性接触するように、電源接続凹部２１の内底面から上方に突出し、また、正極電源端子２２ｂの自由端側は、同様に一対のアーム部１１ｂ、１１ｂ間から前方に露出する正極１０ｂに弾性接触するように、内奥面から後方に突出している。
【００３６】
絶縁シート１は、図２に示すように、電池ホルダー１１の扇状のフランジ部１３に沿った５角形の輪郭の両側辺間の幅がボタン電池１０の直径にほぼ等しく、両側辺部２ａ、２ａが各フランジ部１３、１３上に配置されることにより、一対のアーム部１１ｂ、１１ｂのフランジ部１３、１３間に掛け渡される絶縁片部２と、ボタン電池１０の直径より細幅の長方形に形成された引き出し片部３と、前方の絶縁片部２と後方の引き出し片部３を一体に連結する連結片部４とから構成されている。絶縁片部２と絶縁片部２に対して細幅の引き出し片部３の各両側辺は、直線の傾斜線４ａとした連結片部４の両側辺により連続している。
【００３７】
絶縁シート１は、可撓性で長手方向に引っ張り応力を受けても容易に破断しないＰＥＴ（ポリエチレンテレフタラート）で形成するが、例えば紙繊維にＰＰ（ポリプロピレン）を複合させて強化させた合成紙等で形成してもよい。
【００３８】
引き出し片部３の平面には、後端から両側辺に沿って帯状の識別マーク５、５が印刷されている。識別マーク５は、絶縁シート１の絶縁辺部２を電池収容部１２内に配置した図５に示す状態で、電池ホルダー１１の後端の部位と、識別マーク５の前端５ａが前後方向で一致するように印刷されている。従って、絶縁辺部２が電池収容部１２内に配置される正常な配置位置から後方に絶縁シート１が引き出されると、電池ホルダー１１の取っ手１１ａの後端と識別マーク５の前端５ａとの間に識別マーク５が表示されていない隙間が表れ、この隙間が生じることにより絶縁シート１が意図せずに後方に引き出されたことを知ることができる。
【００３９】
このように形成された絶縁シート１は、機器の使用前にボタン電池１０の負極１０ａと機器側の負極電源端子２２ａ間を絶縁するために用いるもので、以下、その使用方法を図１乃至図７で説明する。
【００４０】
始めに、図１、図３に示すように、絶縁シート１を電池ホルダー１１へ配置する。この配置作業は、絶縁シート１の引き出し片部３を上方から電池収容部１２内に挿通し、取っ手１１ａの底面に沿って後方に引き出し、両側片部２ａ、２ａをそれぞれフランジ部１３、１３上に配置することにより、絶縁片部２を一対のアーム部１１ｂ、１１ｂのフランジ部１３、１３間に掛け渡す。絶縁片部２の両側片部２ａ、２ａをフランジ部１３、１３上に配置する際に絶縁片部２の前縁は、凹曲面の内壁面１２ａ、１２ａに当接し、絶縁シート１の前方への移動が規制される。このように絶縁片部２を電池収容部１２内に配置し、引き出し片部３を上方から取っ手１１ａの底面から後方に引き出すと、傾斜線４ａの輪郭で表される連結片部４の両側辺は、フランジ部１３、１３の内側面に後方に向かって下方に傾斜する姿勢で当接する。
【００４１】
続いて、絶縁片部２が配置された電池収容部１２の上方から、図４に示すように、ボタン電池１０を電池収容部１２内に収容する。ボタン電池１０の底面側周囲は、フランジ部１３、１３上に載置されるので、絶縁片部２の両側片部２ａ、２ａは、フランジ部１３、１３の平面とボタン電池１０の底面との間に挟持され、電池ホルダー１１に配置される絶縁シート１が位置決めされる。
【００４２】
これにより、図５に示すように、機器側の電源接続凹部２１内へ挿入する前の電池ホルダー１１に、ボタン電池１０と絶縁シート１を一体に保持しておくことができ、ボタン電池１０と絶縁シート１を配置した電池ホルダー１１の取っ手１１ａを片手で持ちながら一対のアーム部１１ｂ、１１ｂを電源接続凹部２１内へ挿入するだけで、ボタン電池１０と絶縁シート１を電源接続凹部２１内へ挿入できる。電池ホルダー１１のアーム部１１ｂ、１１ｂを電源接続凹部２１内へ挿入する工程で、電池ホルダー１１の底面に沿って引き出し片部３が配置される絶縁シート１は、負極電源端子２２ａや電源接続凹部２１の内底面に接して後方への摩擦力を受けるが、絶縁片部２の両側片部２ａ、２ａが、フランジ部１３、１３の平面とボタン電池１０の底面との間に挟持されるとともに、連結片部４の両側辺が、フランジ部１３、１３の内側面に当接しているので、後方へ位置ずれしない。
【００４３】
図６（ａ）（ｂ）に示すように、電池ホルダー１１の取っ手１１ａが、電源接続凹部２１の周囲の筐体２０に当接するまで、電源接続凹部２１へ挿入すると、電池ホルダー１１側の係合凹部１４、１４に、電源接続凹部２１の内側面から突出する係合リブ２１ａ、２１ａが係合し、電池ホルダー１１はその挿入位置で位置決めされる。
【００４４】
機器を出荷後、ユーザーにより最初に機器が使用されるまでは、この電池ホルダー１１を挿入した状態に保持され、この状態で、電源接続凹部２１の内奥面から突出する正極電源端子２２ｂは、アーム部１１ｂ、１１ｂ間の前方に露出するボタン電池１０の正極１０ｂに弾性接触するが、底面から上方に突出する負極電源端子２２ａとボタン電池１０の底面の負極１０ａとの間には、絶縁シート１の絶縁片部２が介在することにより両者が絶縁される。
【００４５】
絶縁シート１の絶縁片部２が負極電源端子２２ａとボタン電池１０の負極１０ａの間に配置されているかどうかは、取っ手１１ａと取っ手１１ａから後方に引き出される引き出し片部３に表示された識別マーク５の前端５ａとの間の隙間の有無で判別する。絶縁シート１の絶縁片部２の前縁が電池収容部１２の内壁面１２ａ、１２ａに当接する所定位置より絶縁シート１が後方に引き出されている場合には、識別マーク５の前端５ａが取っ手１１ａから離れるので、電池ホルダー１１を引き出し、再び電池ホルダー１１へ絶縁シート１とボタン電池１０を配置する作業を繰り返す。
【００４６】
ユーザーにより機器を使用する際には、取っ手１１ａから後方に引き出されている引き出し片部３を持ち、図７に示すように、絶縁シート１を電池ホルダー１１から引き出す。この引き出し作業においては、引き出し方向に向かって傾斜線４ａで細幅となる連結片部４の両側辺がフランジ部１３の内壁面に摺接しながら後方に引き出され、その前方に連続する太幅の絶縁片部２を捩りながらフランジ部１３の下方へ案内するので、連結片部４に大きな引っ張り応力を発生せず、従って、絶縁シート１が破断することなく、絶縁片部２を電源接続凹部２１に挿入された電池ホルダー１１から外方へ引き出すことができる。
【００４７】
絶縁シート１が電池ホルダー１１から引き出されると、アーム部１１ｂ、１１ｂ間の下方に臨むボタン電池１０の負極１０ａに負極電源端子２２ａが弾性接触し、ボタン電池１０から機器に電源が供給される。
【００４８】
上述の実施の形態では、フランジ部１３、１３に掛け渡される絶縁シート１の絶縁片部２の輪郭を扇状のフランジ部１３の曲率に合わせて５角形としたが、両側片部２ａ、２ａがフランジ部１３、１３上に配置される形状であれば、任意の輪郭の形状とすることができる。
【００４９】
また、電源接続凹部２１内に突出する正極電源端子２２ｂは、電源接続凹部２１の内頂面から突出し、ボタン電池１０の平面に露出する正極１０ｂに接触するものであってもよい。
【００５０】
また、一対のアーム部１１ｂ、１１ｂの内壁面１２ａ、１２ａに囲われる空間を、電池ホルダー１１の円筒状の電池収容部１２としたが、板状のケースに円筒孔を形成し、その円筒孔を電池収容部としてもよい。このような電池収容部に位置決め収容されるボタン電池１０は、正極１０ｂが平面側にのみ露出するので、前述のように、正極電源端子２２ｂを電源接続凹部２１の内頂面から突出させる。
【産業上の利用可能性】
【００５１】
本発明は、電池ホルダーに位置決め収容され、電池ホルダーを挿入する機器の電源接続凹部内に臨む電源端子に接続するボタン電池の電源端子との絶縁に適している。
【符号の説明】
【００５２】
１      ボタン電池用絶縁シート
２      絶縁片部
２ａ    側片部
３      引き出し片部
４      連結片部
４ａ    傾斜線
５      識別マーク
１０    ボタン電池
１０ａ  負極（電極）
１０ｂ  正極
１１    電池ホルダー
１２    電池収容部
１２ａ  電池収容部の内壁面
１３    フランジ部
２１    電源接続凹部
２２ａ  負極電源端子（電源端子）
２２ｂ 正極電源端子
【図１】
0005545305.tif 000002
【図２】
0005545305.tif 000003
【図３】
0005545305.tif 000004
【図４】
0005545305.tif 000005
【図５】
0005545305.tif 000006
【図６】
0005545305.tif 000007
【図７】
0005545305.tif 000008
【図８】
0005545305.tif 000009
【図９】
0005545305.tif 000010